(57)【要約】【課題】無線通信システムにおいて、障害発生時の復旧時間を短縮する。【解決手段】移動局３０を制御するＭＳ制御信号装置１１−１が故障したときは、ＭＳ制御信号装置１１−２がＭＳ制御信号装置１１−１の処理を引き継ぐ。ＭＳ制御信号装置１１−２は、移動局３０に対して通信に必要なＲＬＣパラメータを要求し、移動局３０は、要求されたＲＬＣパラメータをＭＳ制御信号装置１１−２へ送信する。ＭＳ制御信号装置１１−２は、取得したＲＬＣパラメータを利用して移動局３０の通信を制御する。ＭＳ制御信号装置の切替えに際してユーザデータ４を伝送するためのデータパスは解放されることなく保持される。【選択図】図３
2008153893.tif 000002
【特許請求の範囲】
【請求項１】
複数の移動局制御ユニットを備える無線ネットワーク制御装置において使用される障害復旧方法であって、
第１の移動局制御ユニットに係わる移動局制御信号が停止したときに、その第１の移動局制御ユニットにより制御されている移動局のデータパスを保持したまま、第２の移動局制御ユニットとその移動局との間に移動局制御信号を伝送するための制御パスを確立することを特徴とする障害復旧方法。
【請求項２】
請求項１に記載の方法であって、
前記第１の移動局制御ユニットが故障したときに、前記第２の移動局制御ユニットと前記移動局との間に前記制御パスを確立する
ことを特徴とする障害復旧方法。
【請求項３】
請求項１に記載の方法であって、
前記第２の移動局制御ユニットおよび前記移動局においてその移動局の通信に係わる通信パラメータを初期化し、その初期化した通信パラメータを利用して前記移動局の通信を制御する
ことを特徴とする障害復旧方法。
【請求項４】
請求項１に記載の方法であって、
前記第２の移動局制御ユニットの要求に応じて前記移動局からその第２の移動局制御ユニットへ前記移動局の通信に係わる通信パラメータを送信し、
前記第２の移動局制御ユニットが取得した通信パラメータを利用して前記移動局の通信を制御する
ことを特徴とする障害復旧方法。
【請求項５】
複数の移動局制御ユニットと、
第１の移動局制御ユニットにより制御される移動局のユーザデータを伝送するためのデータパスを確立するデータパス手段と、
前記第１の移動局制御ユニットが前記移動局を制御するための制御信号が停止したときに、第２の移動局制御ユニットと前記移動局との間に前記制御信号を伝送するための制御パスを確立する制御手段、を有し
前記データパス手段は、前記制御信号の停止に起因して前記制御手段が前記制御パスを確立する際に、前記移動局のデータパスを保持する
ことを特徴とする無線ネットワーク制御装置。
【請求項６】
請求項５に記載の無線ネットワーク制御装置であって、
前記複数の移動局制御ユニットと前記データパス手段との間で信号を伝送するスイッチ手段をさらに有し、
前記制御信号は、前記スイッチ手段および前記データパス手段を介して伝送されるものであり、
前記制御手段は、前記スイッチ手段のルートを定義するパス情報を変更することによって、前記第２の移動局制御ユニットと前記データパス手段とを接続する
ことを特徴とする無線ネットワーク制御装置。
【請求項７】
請求項５に記載の無線ネットワーク制御装置であって、
前記第２の移動局制御ユニットは、前記移動局の通信に係わる通信パラメータを初期化し、その初期化した通信パラメータを利用して前記移動局の通信を制御する
ことを特徴とする無線ネットワーク制御装置。
【請求項８】
請求項５に記載の無線ネットワーク制御装置であって、
前記第２の移動局制御ユニットは、前記移動局の通信に係わる通信パラメータをその移動局から取得し、その取得した通信パラメータを利用して前記移動局の通信を制御する
ことを特徴とする無線ネットワーク制御装置。
【請求項９】
請求項７または８に記載の無線ネットワーク制御装置であって、
前記通信パラメータは、前記移動局が送信または受信するパケットの順序を制御するための変数である
ことを特徴とする無線ネットワーク制御装置。
【請求項１０】
請求項７または８に記載の無線ネットワーク制御装置であって、
前記通信パラメータは、３ＧＰＰのＲＬＣレイヤで使用する変数である
ことを特徴とする無線ネットワーク制御装置。
【発明の詳細な説明】
【技術分野】
【０００１】
本発明は、無線通信システムにおいて制御信号を伝送するためのルートに障害が発生した場合の復旧方法、およびそのような復旧機能を備える無線ネットワーク制御装置に係わる。
【背景技術】
【０００２】
移動通信システム等の無線通信システムは、一般に、多数の無線基地局（ＢＴＳ：Base
Transceiver Stationまたはnode B）を備えており、携帯電話機などの移動局（ＭＳ：Mobile StationまたはＵＥ：User Equipment）は、最寄りの無線基地局に収容される。無線ネットワーク制御装置（ＲＮＣ：Radio Network Controller）は、１または複数の無線基地局に接続されており、無線基地局を制御すると共に、その無線基地局に収容される移動局も制御する。
【０００３】
図９は、無線ネットワーク制御装置の構成を示す図である。ここでは、一例として、３ＧＰＰにより規定されている構成を示す。
無線ネットワーク制御装置１０は、複数のＭＳ制御信号装置１１、ＢＴＳ制御信号装置１２、選択合成装置１３を含んで構成される。ＭＳ制御信号装置１１は、ＤＣＣＨ（Dedicated Control Channel）を終端し、3GPP.TS25.322で規定されているＲＬＣ（Radio Link
Control）プロトコルに係わる処理を実行する。また、移動局３０との間で制御信号（例えば、発呼、終話などの指令）を送受信する。ＢＴＳ制御信号装置１２は、ＣＣＣＨ（Common Control Channel）を終端し、無線基地局２０との間で制御信号を送受信する。選択合成装置１３は、無線基地局２０と相手ノード（ＣＮ：Correspondent Node）４０との間で信号を中継する。ここで、選択合成装置１３は、選択合成機能、複製分配機能、暗号／復号機能を備えている。選択合成機能は、移動局３０から送信される信号を複数の無線基地局２０を介して受信する場合に、最も品質の良い信号を選択する。複製分配機能は、移動局３０あての信号を複数の無線基地局２０へ送信する。暗号／復号機能は、ユーザ信号を暗号化して送信すると共に、受信した暗号信号を復号してユーザ信号を再生する。アプリケーション１４およびプラットフォーム（ＰＦ）１５は、呼制御プロセッサによって実行されるソフトウェアであり、ＭＳ制御信号装置１１、ＢＴＳ制御信号装置１２、選択合成装置１３を制御することにより通信サービスを提供する。
【０００４】
移動局３０に係わる通信を制御するためのＭＳ制御信号は、アプリケーション１４と移動局３０との間で送受信される。ここで、アプリケーション１４とＭＳ制御信号装置１１との間では、ＲＲＣ（Radio Resource Control）レイヤのＭＳ制御信号１が送受信される。また、ＭＳ制御信号装置１１と移動局３０との間では、ＲＬＣレイヤのＭＳ制御信号２が送受信される。一方、無線基地局２０を制御するための共通制御信号３は、アプリケーション１４と無線基地局２０との間で送受信される。ユーザデータ４は、図９に示す例では、選択合成装置１３を介して送受信される。この場合、ＭＳ制御信号２も選択合成装置１３を介して送受信される。
【０００５】
図１０〜図１３は、無線ネットワーク装置１０においてＭＳ制御信号装置１１が故障した場合の復旧手順を説明する図である。ここでは、無線ネットワーク制御装置１０が複数のＭＳ制御信号装置１１（１１−１、１１−２、．．．）を備え、移動局３０に対してＭＳ制御信号装置１１−１が割り当てられているものとする。
【０００６】
ＭＳ制御信号装置１１−１が故障すると、図１０に示すように、ＭＳ制御信号装置１１−１が送受信するＭＳ制御信号１、２が停止する。そうすると、図１１に示すように、ア
プリケーション１４は、ＭＳ制御信号装置１１−１により制御されている移動局３０のデータパスを解放する。この結果、移動局３０は、ＭＳ制御信号２およびユーザデータ４を受信できなくなり、ネットワーク障害を検出する。
【０００７】
移動局３０は、上記障害を検出すると、図１２に示すように、共通制御信号３を利用して再接続要求を送信する。この再接続要求は、アプリケーション１４により受信される。そうすると、アプリケーション１４は、他のＭＳ制御信号装置（ここでは、ＭＳ制御信号装置１１−２）を介して移動局３０へ再接続応答を返送する。以降、移動局３０は、ＭＳ制御信号装置１１−２との間でＭＳ制御信号２を送受信する。
【０００８】
さらに、アプリケーション１４は、図１３に示すように、移動局３０のユーザデータ４を伝送するためのデータパスを捕捉し、選択合成装置１３に通知する。この結果、移動局３０のユーザデータ４を伝送するためのデータパスが復旧する。
【０００９】
なお、特許文献１には、無線ネットワーク制御装置、無線基地局、移動局を備える移動通信システムにおいて、無線ネットワーク制御装置が故障から復旧したときに、移動局から環境情報を取得する技術が記載されている。ここで、環境情報は、移動局を識別する情報等である。そして、無線ネットワーク制御装置は、その環境情報を利用して移動局の通信を回復させる。
【特許文献１】特表２００５−５１０１５５号公報
【発明の開示】
【発明が解決しようとする課題】
【００１０】
上述のように、従来の技術においては、ＭＳ制御信号装置が故障すると、ユーザデータを伝送するためのデータパスがいったん解放される。このため、移動局が音声データを送受信しているときにＭＳ制御信号装置が故障すると、数秒の無音状態が発生することになる。また、上述の復旧手順は、移動局からの再接続要求を契機として実行される。すなわち、無線ネットワーク制御装置は、自律的に復旧手順を実行することは出来なかった。
【００１１】
なお、上記問題は、ＭＳ制御信号装置が故障した場合だけでなく、ＭＳ制御信号を伝送するためのルート上で障害が発生した場合、閉塞等によりサービスを中断する場合にも発生し得る。
【００１２】
本発明の目的は、無線通信システムにおいて、障害発生時の復旧時間を短縮することである。また、本発明の他の目的は、無線通信システムにおいて、ネットワーク装置が自律的に障害の復旧を行うことができるようにすることである。
【課題を解決するための手段】
【００１３】
本発明の障害復旧方法は、複数の移動局制御ユニットを備える無線ネットワーク制御装置において使用されるものであり、第１の移動局制御ユニットに係わる移動局制御信号が停止したときに、その第１の移動局制御ユニットにより制御されている移動局のデータパスを保持したまま、第２の移動局制御ユニットとその移動局との間に移動局制御信号を伝送するための制御パスを確立する。
【００１４】
この方法によれば、移動局制御ユニットを切替える際にデータパスが保持されるので、復旧に要する時間が短くなり、移動局の通信に及ぶ影響は小さくなる。
上記復旧方法において、前記第２の移動局制御ユニットおよび前記移動局においてその移動局の通信に係わる通信パラメータを初期化し、その初期化した通信パラメータを利用して前記移動局の通信を制御するようにしてもよい。この方法によれば、無線ネットワーク制御装置および移動局において使用するパラメータの同期を確立できる。
【００１５】
また、上記復旧方法において、前記第２の移動局制御ユニットの要求に応じて前記移動局からその第２の移動局制御ユニットへ前記移動局の通信に係わる通信パラメータを送信し、前記第２の移動局制御ユニットが取得した通信パラメータを利用して前記移動局の通信を制御するようにしてもよい。この方法によれば、無線ネットワーク制御装置は、移動局の通信を制御するために必要なパラメータを移動局から取得できる。
【００１６】
本発明の無線ネットワーク制御装置は、複数の移動局制御ユニットと、第１の移動局制御ユニットにより制御される移動局のユーザデータを伝送するためのデータパスを確立するデータパス手段と、前記第１の移動局制御ユニットが前記移動局を制御するための制御信号が停止したときに、第２の移動局制御ユニットと前記移動局との間に前記制御信号を伝送するための制御パスを確立する制御手段を有する。そして、前記データパス手段は、前記制御信号の停止に起因して前記制御手段が前記制御パスを確立する際に、前記移動局のデータパスを保持する。
【００１７】
この構成によれば、移動局制御ユニットを切替える際にデータパスが保持されるので、移動局の通信に及ぶ影響は小さくなる。
前記第２の移動局制御ユニットは、前記移動局の通信に係わる通信パラメータを初期化し、その初期化した通信パラメータを利用して前記移動局の通信を制御するようにしてもよい。あるいは、前記第２の移動局制御ユニットは、前記移動局の通信に係わる通信パラメータをその移動局から取得し、その取得した通信パラメータを利用して前記移動局の通信を制御するようにしてもよい。これらの構成においては、無線ネットワーク制御装置は移動局からの要求を必要とせずに、自立的に復旧手順を開始することができる。
【発明の効果】
【００１８】
本発明によれば、無線通信システムにおいて、障害発生時の復旧時間を短縮できる。また、本発明の他の態様によれば、無線通信システムにおいて、ネットワーク装置が自律的に障害の復旧を行うことができる。
【発明を実施するための最良の形態】
【００１９】
以下、図面を参照しながら、本発明の実施形態の無線ネットワーク制御装置および復旧方法について説明する。ここでは、３ＧＰＰで規定されている無線通信システムを前提とする。すなわち、無線通信システムは、無線基地局（ＢＴＳまたはnode B）および無線ネットワーク制御装置（ＲＮＣ）を備え、移動局（ＭＳまたはＵＥ）は最寄りの無線基地局に収容される。なお、無線ネットワーク制御装置の基本的な構成は、図９を参照しながら説明した通りである。
【００２０】
図１〜図４は、無線ネットワーク装置においてＭＳ制御信号装置が故障した場合の復旧手順を説明する図である。ここでは、無線ネットワーク制御装置１０が複数のＭＳ制御信号装置１１（１１−１、１１−２、．．．）を備え、移動局３０に対してＭＳ制御信号装置１１−１が割り当てられているものとする。この場合、ＭＳ制御信号装置１１−１と移動局３０との間でＭＳ制御信号２が送受信される。ＭＳ制御信号２は、ＲＬＣレイヤ（レイヤ２）の信号である。なお、アプリケーション１４とＭＳ制御信号との間で送受信されるＭＳ制御信号１は、ＲＲＣレイヤ（レイヤ３）の信号である。なお、移動局３０のユーザデータ４は、選択合成装置１３を介して相手ノード（ＣＮ）４０との間で送受信されているものとする。
【００２１】
図１に示すように、ＭＳ制御信号装置１１−１が故障したものとする。ここで、故障の発生は、例えば、ＭＳ制御信号装置内で実行するパリティチェックにより検出される。そして、ＭＳ制御信号装置１１−１は、故障が検出されると、移動局３０へのＭＳ制御信号
２の送信を停止する。また、故障が発生した旨は、ＭＳ制御信号装置１１−１からアプリケーション１４およびプラットフォーム（ＰＦ）１５に通知される。ここで、プラットフォーム１５は、ＭＳ制御信号装置１１（１１−１、１１−２、．．．）の状態を管理している。すなわち、プラットフォーム１５は、各ＭＳ制御信号装置１１が正常に動作しているか否か、および各ＭＳ制御信号装置１１の負荷状態などを管理している。なお、ＭＳ制御信号装置１１において重大な故障が発生した場合には、プラットフォーム１５がその旨を検出することができる。
【００２２】
ＭＳ制御信号装置１１が故障した場合であっても、選択合成装置３０の動作は変わらない。したがって、移動局３０のユーザデータ４は、その選択合成装置３０を介して継続して送受信される。
【００２３】
アプリケーション１４は、図２に示すように、プラットフォーム１５を参照することにより、正常に動作しているＭＳ制御信号装置を１つ選択する。複数のＭＳ制御信号装置が正常に動作している場合には、例えば、最も負荷の軽いＭＳ制御信号装置が選択される。この例では、ＭＳ制御信号装置１１−２が選択されるものとする。そして、アプリケーション１４は、選択したＭＳ制御信号装置１１−２に対して移動局３０を割り当てる。これにより、アプリケーション１４と移動局３０との間にＭＳ制御信号の迂回伝送ルートが捕捉される。この迂回伝送ルートの設定方法については、後で説明する。
【００２４】
なお、アプリケーション１４は、ＭＳ制御信号装置が故障した場合であっても、そのＭＳ制御信号装置により制御されている移動局のユーザデータ（音声データ、パケットデータ等）のためのデータルートを解放しない。よって、移動局３０のユーザデータ４は、選択合成装置３０を介して継続して送受信される。
【００２５】
ＭＳ制御信号装置１１−２は、移動局３０の通信を制御するためには、通信パラメータを必要とする。ここで、「通信パラメータ」は、ＲＬＣプロトコルで使用するパラメータであり、この実施例では図５に示すように、状態変数（送信シーケンス番号、受信シーケンス番号、送信ウィンドウサイズ、受信ウィンドウサイズ）、及び秘匿パラメータ（秘匿キー、上りＨＦＮ（Hyper Frame Number）、下りＨＦＮ）である。そして、移動局３０の通信をそのまま継続するためには、ＭＳ制御信号装置１１−２は、ＭＳ制御信号装置１１−１が使用していた通信パラメータを引き継ぐことが好ましい。しかしながら、故障したＭＳ制御信号装置１１−１から通信パラメータを引き継ぐことは出来ない。したがって、実施形態の復旧手順では、下記のいずれかの方式によって通信パラメータを設定する。
【００２６】
＜方式１：初期化＞
ＭＳ制御信号装置１１−２は、RLC reset procedureを利用し、移動局３０のシーケンス番号およびウィンドウサイズを初期化する。これにより、例えば、ユーザデータ４のフロー制御のためのシーケンス番号は、ＭＳ制御信号装置１１−２および移動局３０の双方において「ゼロ」に初期化される。したがって、ユーザデータ４の伝送において、各フレーム（または、各パケット）の送信順序は、ＭＳ制御信号装置１１−２と移動局３０との間で保証される。ただし、この場合、ユーザデータ４は、「シーケンス番号＝０」から再送されることになる。
【００２７】
秘匿キーおよびＨＦＮについては、アプリケーション１４から与えられる。そして、これらのパラメータは、ＭＳ制御信号装置１１−２および移動局３０の双方に設定される。
RLC reset procedureは、ＲＬＣプロトコルを実装する１組のエンティティ間で使用される手順であり、基本的に、RESETメッセージおよびRESET ACKメッセージにより実現される。RLC reset procedureについての詳しい情報は、3GPP.TS25.322で規定されている。
【００２８】
＜方式２：移動局から取得＞
上述のＲＬＣパラメータは、ＭＳ制御信号装置および移動局の双方で使用される。そして、ＭＳ制御信号装置および移動局において、上述のＲＬＣパラメータは互いに同期している。すなわち、ＭＳ制御信号装置１１−１が故障したときに移動局３０が保持するＲＬＣパラメータは、そのＭＳ制御信号装置１１−１が保持していたＲＬＣパラメータと同じである。そこで、新たに選択されたＭＳ制御信号装置１１−２は、図３に示すように、移動局３０に対してＲＬＣパラメータを要求する。これにより、ＭＳ制御信号装置１１−２は、実質的に、ＭＳ制御信号装置１１−１が使用していたＲＬＣパラメータを引き継ぐことができる。
【００２９】
ＲＬＣパラメータの要求は、ＲＬＣプロトコルの中で実現されることが好ましい。よって、実施形態の復旧手順では、ＲＬＣレイヤが有する「状態」として「復旧待ち状態」を新たに定義する。また、ＲＬＣプロトコルのＭＳ制御信号として「ＲＬＣパラメータ要求」を新たに定義する。
【００３０】
そして、ＭＳ制御信号装置１１−１の故障に起因して新たなＭＳ制御信号装置１１−２が選択されると、ＭＳ制御信号装置１１−２は「復旧待ち状態」に移行する。続いて、ＭＳ制御信号装置１１−２は、ＭＳ制御信号２として「ＲＬＣパラメータ要求」を格納した制御ＰＤＵ（Protocol Data Unit）を移動局３０へ送信する。移動局３０は、この要求を受信すると、ＲＬＣパラメータ（シーケンス番号、ウィンドウサイズ、秘匿キー、ＨＦＮ）をＭＳ制御信号装置１１−２へ返送する。これにより、ＭＳ制御信号装置１１−２は、移動局３０の通信に係わるＲＬＣパラメータを取得し、「復旧待ち状態」から「通常通信状態」へ移行する。なお、ＭＳ制御信号装置１１−２は、「復旧待ち状態」においてアプリケーション１４からＭＳ制御信号１を受信すると、「通常通信状態」に移行した後にその信号に対応するＭＳ制御信号２を移動局３０へ送信する。
【００３１】
上述の方式１または方式２に従ってＲＬＣパラメータを設定すると、ＭＳ制御信号装置１１−２は、図４に示すように、アプリケーション１４との間でＭＳ制御信号１を送受信する。また、ＭＳ制御信号装置１１−２は、ＭＳ制御信号１に従って移動局３０との間でＭＳ制御信号２を送受信することにより移動局３０の通信を制御する。これにより、ＭＳ制御信号装置１１−１が故障する前の状態が回復する。すなわち、移動局３０は、ＭＳ制御信号装置１１−１が故障する前と同様に、選択合成装置３０を介して相手ノード４０との間で通信を行うことができる。
【００３２】
図６は、ＭＳ制御信号装置を切り替える方法を説明する図である。この実施例では、各ＭＳ制御信号装置１１（１１−１、１１−２、．．．）および選択合成装置１３は、スイッチ１６を介して互いに接続されているものとする。そして、ＭＳ制御信号２は、所定のフォーマットのＰＤＵを利用してスイッチ１６を介して伝送される。この場合、スイッチ１６は、各ＰＵＤのヘッダに設定されているパス情報に対応する出力ポートを介してそのＰＤＵを出力する。パス情報は、例えば、VPI/VCI（Virtual Path Identifier/Virtual Channel Identifier）である。
【００３３】
ＭＳ制御信号装置の切替えは、VPI/VCIを変更することによって実現される。すなわち、ＭＳ制御信号装置１１−１が正常に動作しているときは、ＭＳ制御信号装置１１−１から移動局３０へＭＳ制御信号２を送信するためには、パス１７から入力されるＰＤＵをパス１９へ導くVPI/VCIが使用され、移動局３０からＭＳ制御信号装置１１−１へＭＳ制御信号２を送信するためには、パス１９から入力されるＰＤＵをパス１７へ導くVPI/VCIが使用される。これにより新たな制御パスが確立される。一方、ＭＳ制御信号装置１１−１の代わりにＭＳ制御信号装置１１−２が選択されると、ＭＳ制御信号装置１１−２から移動局３０へＭＳ制御信号２を送信するためには、パス１８から入力されるＰＤＵをパス１
９へ導くVPI/VCIが使用され、移動局３０からＭＳ制御信号装置１１−２へＭＳ制御信号２を送信するためには、パス１９から入力されるＰＤＵをパス１８へ導くVPI/VCIが使用される。すなわち、この実施例では、ＭＳ制御信号装置の切替えに際して、ＭＳ制御信号装置１１とスイッチ１６との間のパスのみが変更され、選択合成装置１３とスイッチ１６との間のパスは変更されない。
【００３４】
なお、図１０〜図１３に示した従来技術においては、ＭＳ制御信号装置の切替えに際して選択合成装置１３がいったん解放される。このため、ＭＳ制御信号２を伝送するためのルートは、図７に示すように変化する。すなわち、従来技術においては、ＭＳ制御信号装置１１とスイッチ１６との間のルートだけでなく、選択合成装置１３とスイッチ１６との間のルートも再設定される。
【００３５】
また、実施形態の復旧手順では、ＭＳ制御信号装置を切り替える際に、ユーザデータ４を伝送するためのデータパスは解放されることなく保持される。ここで、無線ネットワーク制御装置１０においてスイッチ１６を利用してデータパスが確立されるものとすると、「データパスの保持」は、ユーザデータ４とVPI/VCIの対応関係を維持することにより実現され、「データパスの解放」は、ユーザデータ４とVPI/VCIの対応関係をVPI/VCIテーブルから削除することにより実現される。すなわち、実施形態の復旧手順では、移動局３０を制御すべきＭＳ制御信号装置が切り替わる際に、移動局３０と相手ノード４０との間で伝送されるユーザデータ４に割り当てられるVPI/VCIが更新されることはない。したがって、ユーザデータ４は、このVPI/VCIを利用して伝送される。ただし、移動局３０がハンドオーバする場合には、ユーザデータ４のデータパスはいったん切断される。
【００３６】
このように、実施形態の復旧手順によれば、ＭＳ制御信号装置が故障した場合であっても、ユーザデータのためのデータパスが保持されるので、無音状態は発生しない。なお、従来技術においては、ＭＳ制御信号装置が故障した場合にはデータパスがいったん解放されるので、無音状態が発生していた。
【００３７】
また、実施形態の復旧手順においては、レイヤ３またはそれよりも上位のレイヤのメッセージを使用することなくレイヤ２（すなわち、ＲＬＣ）を利用して無線ネットワーク制御装置と移動局との間で通信に必要な情報の引継ぎが行われる。よって、従来技術よりも簡単なシーケンスで呼を救済することができる。
【００３８】
さらに、実施形態の手順によれば、ＭＳ制御信号装置が故障したときに、無線ネットワーク制御装置が主体的に復旧手順を進めることができるので、短時間のうちに正常動作を回復できる。なお、従来技術においては、移動局からの再接続要求を契機として復旧手順が開始されていた。このため、ＭＳ制御信号装置が故障してから正常動作に復帰するまでに、数秒程度かかることがあった。
【００３９】
ここで、実施形態の手順を利用した場合の復旧時間を見積もる。ここでは、上述の方式２により移動局３０からＲＬＣパラメータを取得するものとする。また、各パラメータのデータ長は以下の通りであるものとする。
送信シーケンス番号：１２ビット
受信シーケンス番号：１２ビット
ＨＦＮ値：２０ビット
秘匿キー：１６×８ビット
また、ＭＳ制御信号２のフレーム長を１８バイトとすると、上述のＲＬＣパラメータを伝送するためには２個のＰＤＵが必要となる。さらに、ＭＳ制御信号装置が、１ユーザ当たり４チャネルを収容するものとすると、全体で８個のＰＤＵを送信する必要がある。そして、無線伝送時間を３２０ｍ秒、無線基地局２０および無線ネットワーク制御装置１０の
処理遅延時間を２００ｍ秒、オーバヘッドを５００ｍ秒とすると、復旧に要する時間は１秒程度となる。
【００４０】
なお、上述の実施例では、ＭＳ制御信号装置が故障した場合に呼を救済して通信を復旧する手順を示したが、本発明はこれに限定されるものではない。すなわち、本発明は、無線ネットワーク制御装置内の他の装置（選択合成装置、ＢＴＳ制御信号装置等）の故障、閉塞によるサービスの停止などに起因してＭＳ制御信号が停止するすべてのケースに適用可能である。
【００４１】
ところで、無線ネットワーク装置１０は、ユーザデータ４のトラヒックに応じて、移動局ごとに通信方式を切り替えることができる。すなわち、音声データまたはデータ量の多いパケットデータを伝送する場合には、個別方式が使用される。個別方式では、図９に示すように、選択合成装置１３を介してユーザ毎に通信ルートが確立される。そして、その通信ルートを介してユーザデータ４が伝送される。なお、個別方式では、ＭＳ制御信号２も選択合成装置１３を介して送受信される。一方、データ量の少ないパケットデータを伝送する場合には、共通方式が使用される。共通方式では、図８に示すように、ＢＴＳ制御信号装置１２と無線基地局２０との間のパスを利用して、ユーザデータ４を伝送するための通信ルートが設定される。また、共通方式では、ＭＳ制御信号２もＢＴＳ制御信号装置１２を介して送受信される。
【００４２】
そして、本発明の復旧方法は、個別方式および共通方式の双方に適用可能である。すなわち、図８においてＭＳ制御信号装置１１−１が故障すると、ＭＳ制御信号装置１１−２とＢＴＳ制御信号装置１２との間に迂回ルートが設定される。移動局３０のためのＭＳ制御信号２は、その迂回ルート介して伝送される。なお、ＲＬＣパラメータの引継ぎは、図１〜図５を参照しながら説明した通りである。
【００４３】
（付記１）
複数の移動局制御ユニットを備える無線ネットワーク制御装置において使用される障害復旧方法であって、
第１の移動局制御ユニットに係わる移動局制御信号が停止したときに、その第１の移動局制御ユニットにより制御されている移動局のデータパスを保持したまま、第２の移動局制御ユニットとその移動局との間に移動局制御信号を伝送するための制御パスを確立することを特徴とする障害復旧方法。
【００４４】
（付記２）
付記１に記載の方法であって、
前記第１の移動局制御ユニットが故障したときに、前記第２の移動局制御ユニットと前記移動局との間に前記制御パスを確立する
ことを特徴とする障害復旧方法。
【００４５】
（付記３）
付記１に記載の方法であって、
前記第１の移動局制御ユニットに対して閉塞制御が発生したときに、前記第２の移動局制御ユニットと前記移動局との間に前記制御パスを確立する
ことを特徴とする障害復旧方法。
【００４６】
（付記４）
付記１に記載の方法であって、
前記第２の移動局制御ユニットおよび前記移動局においてその移動局の通信に係わる通信パラメータを初期化し、その初期化した通信パラメータを利用して前記移動局の通信を
制御する
ことを特徴とする障害復旧方法。
【００４７】
（付記５）
付記１に記載の方法であって、
前記第２の移動局制御ユニットの要求に応じて前記移動局からその第２の移動局制御ユニットへ前記移動局の通信に係わる通信パラメータを送信し、
前記第２の移動局制御ユニットが取得した通信パラメータを利用して前記移動局の通信を制御する
ことを特徴とする障害復旧方法。
【００４８】
（付記６）
複数の移動局制御ユニットと、
第１の移動局制御ユニットにより制御される移動局のユーザデータを伝送するためのデータパスを確立するデータパス手段と、
前記第１の移動局制御ユニットが前記移動局を制御するための制御信号が停止したときに、第２の移動局制御ユニットと前記移動局との間に前記制御信号を伝送するための制御パスを確立する制御手段、を有し
前記データパス手段は、前記制御信号の停止に起因して前記制御手段が前記制御パスを確立する際に、前記移動局のデータパスを保持する
ことを特徴とする無線ネットワーク制御装置。
【００４９】
（付記７）
付記６に記載の無線ネットワーク制御装置であって、
前記データパス手段は、選択合成装置である
ことを特徴とする無線ネットワーク制御装置。
【００５０】
（付記８）
付記６に記載の無線ネットワーク制御装置であって、
前記データパス手段は、基地局制御信号装置である
ことを特徴とする無線ネットワーク制御装置。
【００５１】
（付記９）
付記６に記載の無線ネットワーク制御装置であって、
前記複数の移動局制御ユニットと前記データパス手段との間で信号を伝送するスイッチ手段をさらに有し、
前記制御信号は、前記スイッチ手段および前記データパス手段を介して伝送されるものであり、
前記制御手段は、前記スイッチ手段のルートを定義するパス情報を変更することによって、前記第２の移動局制御ユニットと前記データパス手段とを接続する
ことを特徴とする無線ネットワーク制御装置。
【００５２】
（付記１０）
付記６に記載の無線ネットワーク制御装置であって、
前記第２の移動局制御ユニットは、前記移動局の通信に係わる通信パラメータを初期化し、その初期化した通信パラメータを利用して前記移動局の通信を制御する
ことを特徴とする無線ネットワーク制御装置。
【００５３】
（付記１１）
付記６に記載の無線ネットワーク制御装置であって、
前記第２の移動局制御ユニットは、前記移動局の通信に係わる通信パラメータをその移動局から取得し、その取得した通信パラメータを利用して前記移動局の通信を制御する
ことを特徴とする無線ネットワーク制御装置。
【００５４】
（付記１２）
付記１０または１１に記載の無線ネットワーク制御装置であって、
前記通信パラメータは、前記移動局が送信または受信するパケットの順序を制御するための変数である
ことを特徴とする無線ネットワーク制御装置。
【００５５】
（付記１３）
付記１０または１１に記載の無線ネットワーク制御装置であって、
前記通信パラメータは、３ＧＰＰのＲＬＣレイヤで使用する変数である
ことを特徴とする無線ネットワーク制御装置。
【図面の簡単な説明】
【００５６】
【図１】実施形態の復旧手順を説明する図（その１）である。
【図２】実施形態の復旧手順を説明する図（その２）である。
【図３】実施形態の復旧手順を説明する図（その３）である。
【図４】実施形態の復旧手順を説明する図（その４）である。
【図５】ＲＬＣパラメータを引き継ぐ方式を比較した表である。
【図６】実施形態におけるＭＳ制御信号装置の切替えを説明する図である。
【図７】従来技術におけるＭＳ制御信号装置の切替えを説明する図である。
【図８】共通方式で動作する場合の信号のルートを示す図である。
【図９】無線ネットワーク制御装置の構成を示す図である。
【図１０】従来技術による復旧手順を説明する図（その１）である。
【図１１】従来技術による復旧手順を説明する図（その２）である。
【図１２】従来技術による復旧手順を説明する図（その３）である。
【図１３】従来技術による復旧手順を説明する図（その４）である。
【符号の説明】
【００５７】
１      ＭＳ制御信号（ＲＲＣ）
２      ＭＳ制御信号（ＲＬＣ）
３      共通制御信号
４      ユーザデータ
１０      無線ネットワーク制御装置
１１      ＭＳ制御信号装置
１２      ＢＴＳ制御信号装置
１３      選択合成装置
１４      アプリケーション
１５      プラットフォーム（ＰＦ）
１６      スイッチ
２０      無線基地局（ＢＴＳ）
３０      移動局（ＭＳ）
４０      相手ノード（ＣＮ）
【図１】
2008153893.tif 000003
【図２】
2008153893.tif 000004
【図３】
2008153893.tif 000005
【図４】
2008153893.tif 000006
【図５】
2008153893.tif 000007
【図６】
2008153893.tif 000008
【図７】
2008153893.tif 000009
【図８】
2008153893.tif 000010
【図９】
2008153893.tif 000011
【図１０】
2008153893.tif 000012
【図１１】
2008153893.tif 000013
【図１２】
2008153893.tif 000014
【図１３】
2008153893.tif 000015